(57)【特許請求の範囲】
【請求項１】
監視領域の画像を録画する監視カメラシステムであって、
前記画像を撮像する監視カメラと、
前記監視カメラを天井等に固定する固定手段と、
前記監視カメラの一側面に設けられるボール部および前記固定手段の一端部に形成されるボール受け部からなり、前記監視カメラの撮像方向が変えられると前記ボール部が前記ボール受け部内で回転するボールジョイントと、
前記ボール受け部に埋め込まれるホール素子と、
前記ボール部に所定の間隔で複数埋め込まれる永久磁石と、
前記ボール部が前記ボール受け部内で回転することにより前記永久磁石と前記ホール素子の相対位置が変化したことを前記ホール素子にて磁気検出すると前記監視カメラの動きを検出する検出手段と、
前記検出手段にて前記監視カメラの動きが検出されると警報を出力する警報手段と
を有する監視カメラシステム。
【請求項２】
監視領域の画像を録画する監視カメラシステムであって、
前記画像を撮像する監視カメラと、
前記監視カメラを天井等に固定する固定手段と、
前記監視カメラの一側面に設けられるボール部および前記固定手段の一端部に形成されるボール受け部からなり、前記監視カメラの撮像方向が変えられると前記ボール部が前記ボール受け部内で回転するボールジョイントと、
前記固定手段の内部に設けられ、赤外線を投光する赤外線投光部と、
前記固定手段の内部に設けられ、前記赤外線を受光する赤外線受光部と、
前記固定手段の内部に設けられ、前記ボール部の回転に連動して回転することにより前記赤外線を断続的に遮断する赤外遮断部と、
前記赤外線受光部にて前記赤外線が断続して受光されたことを検出する検出手段と、
前記検出手段にて前記赤外線が断続して受光されたことを検出すると警報を出力する警報手段と
を有する監視カメラシステム。
【請求項３】
監視領域の画像を録画する監視カメラシステムであって、
前記画像を撮像する監視カメラと、
前記監視カメラを天井等に固定する固定手段と、
前記監視カメラの一側面に設けられるボール部および前記固定手段の一端部に形成されるボール受け部からなり、前記監視カメラの撮像方向が変えられると前記ボール部が前記ボール受け部内で回転するボールジョイントと、
締め付けて前記ボール部に圧力を加えることにより、前記ボール部の前記ボール受け部内における回転を固定する固定ネジと、
前記ボール部と前記ボール受け部との間に設けられ、前記固定ネジの締め付けを緩めることにより減少した圧力を検出する感圧センサと、
前記感圧センサにて前記圧力が減少したことを検出すると警報を出力する警報手段と
を有する監視カメラシステム。
【発明の詳細な説明】
【０００１】
【発明の属する技術分野】
店舗、及び会社等の人の出入りが激しい場所に監視カメラを設置して、不審者の行動を監視、及び録画する監視カメラシステムに関する。
【０００２】
【従来の技術】
従来から、監視場所である店舗内や出入口に監視カメラを設置し、この監視カメラから送信された画像を監視センターにてモニター表示したり、この画像を録画して事後的な証拠とする監視カメラシステムが知られている。このような監視カメラシステムでは、所定の監視場所を撮像するように撮像方向を調整して、例えば天井などに監視カメラを固定している。
【０００３】
【発明が解決しようとする課題】
しかしながら、上述した従来の監視カメラシステムでは、例えば、不正行為者が、手などで監視カメラを押して、監視カメラの撮像方向を変えた後に犯行に及ぶことがある。監視員がモニターを常時監視していれば、このような不正行為に気づくことができるが、監視カメラの画像の録画のみを行っている場合には、犯罪行為の画像を録画することができないという問題点があった。
【０００４】
本発明は、上述した問題点に鑑みてなされ、監視カメラが撮像方向を不正に変えられた場合にこれを検出して、警報を出力することができる監視カメラシステムを提供することを目的とする。
【０００５】
【課題を解決するための手段】
上述した問題点を解決し、上述した目的を達成するために、第１の発明の監視カメラシステムは、監視領域の画像を録画する監視カメラシステムであって、前記画像を撮像する監視カメラと、前記監視カメラを天井等に固定する固定手段と、前記監視カメラの一側面に設けられるボール部および前記固定手段の一端部に形成されるボール受け部からなり、前記監視カメラの撮像方向が変えられると前記ボール部が前記ボール受け部内で回転するボールジョイントと、前記ボール受け部に埋め込まれるホール素子と、前記ボール部に所定の間隔で複数埋め込まれる永久磁石と、前記ボール部が前記ボール受け部内で回転することにより前記永久磁石と前記ホール素子の相対位置が変化したことを前記ホール素子にて磁気検出すると前記監視カメラの動きを検出する検出手段と、前記検出手段にて前記監視カメラの動きが検出されると警報を出力する警報手段とを有する。
【０００６】
また、第２の発明の監視カメラシステムは、監視領域の画像を録画する監視カメラシステムであって、前記画像を撮像する監視カメラと、前記監視カメラを天井等に固定する固定手段と、前記監視カメラの一側面に設けられるボール部および前記固定手段の一端部に形成されるボール受け部からなり、前記監視カメラの撮像方向が変えられると前記ボール部が前記ボール受け部内で回転するボールジョイントと、前記固定手段の内部に設けられ、赤外線を投光する赤外線投光部と、前記固定手段の内部に設けられ、前記赤外線を受光する赤外線受光部と、前記固定手段の内部に設けられ、前記ボール部の回転に連動して回転することにより前記赤外線を断続的に遮断する赤外遮断部と、前記赤外線受光部にて前記赤外線が断続して受光されたことを検出する検出手段と、前記検出手段にて前記赤外線が断続して受光されたことを検出すると警報を出力する警報手段とを有する。
【０００７】
また、第３の発明による監視カメラシステムは、監視領域の画像を録画する監視カメラシステムであって、前記画像を撮像する監視カメラと、前記監視カメラを天井等に固定する固定手段と、前記監視カメラの一側面に設けられるボール部および前記固定手段の一端部に形成されるボール受け部からなり、前記監視カメラの撮像方向が変えられると前記ボール部が前記ボール受け部内で回転するボールジョイントと、締め付けて前記ボール部に圧力を加えることにより、前記ボール部の前記ボール受け部内における回転を固定する固定ネジと、前記ボール部と前記ボール受け部との間に設けられ、前記固定ネジの締め付けを緩めることにより減少した圧力を検出する感圧センサと、前記感圧センサにて前記圧力が減少したことを検出すると警報を出力する警報手段とを有する。
【００１０】
【発明の実施の形態】
本発明による監視カメラシステムの実施例を図面を参照して説明する。図１は、本実施例による監視カメラシステムの構成図である。１Ａ〜１Ｄは監視領域を撮像する監視カメラである。２は、コントローラで監視カメラ１Ａ〜１Ｄと同軸ケーブル５で接続され、監視カメラ１Ａ〜１Ｄから送出される画像及び音声信号を受信して処理を行う。３はタイムラプスビデオで、コントローラ２と同軸ケーブル６で接続され、コントローラ２から送信された画像及び音声信号を受信して録画及び録音する。４は警報装置で、監視カメラ１への不正行為等を監視し、異常が発生した場合に図示しない遠隔の警備センターに警報を送出する。
【００１１】
図２は、監視カメラ１の機能ブロック図である。１０はレンズやＣＣＤ等から構成される撮像部で、監視領域内の画像を撮像して所定の画像信号に変換する。１１は集音部であり、マイクロホンにて構成され、監視領域内の音声を集音して所定の音声信号に変換する。１２は信号送出部で、撮像部１０及び集音部１１からの画像信号及び音声信号を所定の出力信号に変換して同軸ケーブル５を介して、コントローラ２に送出する。１３は検知部である。
【００１２】
図３は、コントローラ２の機能ブロック図である。２０は画像処理部で、同軸ケーブル５Ａ〜５Ｄを介して監視カメラ１Ａ〜１Ｄから受信した画像信号を処理して、４分割の１画像として合成する。また、画像信号が正常に受信しているか否かを検知する。２１は画像出力部で、画像処理部２０で合成した４分割画像をタイムラプスビデオ３に同軸ケーブル６を介して送出する。２２はＣ操作部で、スイッチ等で構成され、操作者がコントローラ２の各種の設定操作を行う。２３はＣＰＵ等で構成されるＣ制御部で、各部と接続されて動作制御を行う。２４は例えばＲＳ２３２Ｃで構成されるインターフェース部で、後述するＣ認証部２５からの信号を中継する。２５は例えばカードリーダから構成されるＣ認証部で、コントローラ２を操作する操作者の資格をチェックする。２６はＣ電源部で、コントローラ２の各部に電源供給を行う。２７はＣ電源断検知部で、Ｃ電源部２６の電源が切断された場合にこれを検知して図示しないリレー接点を切り替える。２８はＣ警報出力部で、例えば、画像処理部２０にて監視カメラ１Ａ〜１Ｄからの画像信号が途絶えた場合に、警報装置４へ警報信号を出力する。
【００１３】
図４は、タイムラプスビデオ３の機能ブロック図である。３１は録画部で、コントローラ２から受信した４分割の画像信号を受信してビデオテープに録画する。３２はＴ操作部で、録画の開始や停止、タイマー操作、ビデオテープの出し入れ等の操作を行う。３３はＣＰＵ等で構成されるＴ制御部で、各部と接続されて動作制御を行う。３４は例えばＲＳ２３２Ｃで構成されるインターフェース部で、後述するＴ認証部３５からの信号を中継する。３５は例えばカードリーダから構成されるＴ認証部で、タイムラプスビデオ３を操作する操作者の資格をチェックする。３６はＴ電源部で、タイムラプスビデオ３の各部に電源供給を行う。３７はＴ電源断検知部で、Ｔ電源部３６の電源が切断された場合にこれを検知して図示しないリレー接点を切り替える。３８はＴ警報出力部で、例えば、録画部３１へのコントローラ２からの画像信号が途絶えた場合に、警報装置４へ警報信号を出力する。
【００１４】
次に、本発明による監視カメラシステムにおける監視カメラ１の方向の変化を検知して警報を出力する動作を説明する。先ず、監視カメラシステムの各部の電源をオンにする。監視カメラ１Ａ〜１Ｄはそれぞれ監視領域の画像を撮像部１０で撮像し、信号送出部１２にて例えばＮＴＳＣ方式の画像信号に変換して同軸ケーブル５Ａ〜５Ｄにて送出する。画像信号は、同軸ケーブル５Ａ〜５Ｄを介してコントローラ２の画像処理部２０に入力される。画像処理部２０は、監視カメラ１Ａ〜１Ｄの４つの画像を４分割の１画像として作成し、画像出力部２１にてタイムラプスビデオ３に出力する。ここで、監視カメラ１の向きが変えられると、監視カメラ１に設置されている検知部１３が監視カメラ１の方向の変化に伴いその向きが変化する。そして、検知部１３はその向きの変化を検知する。検知部１３は検知結果を信号送出部１２に信号を出力する。信号送出部１２は検知部１３の検知結果を所定の信号に変換し、画像信号と共に同軸ケーブル５Ａを介してコントローラ２に送信する。コントローラ２では、画像処理部２０にて同軸ケーブル５Ａ〜５Ｄを介して監視カメラ１Ａ〜１Ｄの画像信号やその他の信号を受信する。そして、検知信号を受信した場合には、Ｃ制御部２３はＣ警報出力部２８にて警報装置４に警報信号を出力する。警報装置４では、コントローラ２からの警報出力を受信すると、遠隔の図示しない警備センターに電話回線等を通じて警報を送信する。
【００１７】
次に第１の発明である監視カメラシステムについて図５を参照して説明する。本発明においては、監視カメラの向きの変化を検知する手段は監視カメラ１を天井等に固定する為の固定手段に設けている。図５は本実施例で監視カメラ１の取り付け状態および固定部の断面略図である。固定部であるカメラマウント１１１と監視カメラ１はボール部１１３およびボール受け部１１５からなるボールジョイントで接続され、監視カメラの撮像領域に向けて方向を調整した後、固定ネジ１１６で締め付けて固定される。ボール部１１３には永久磁石１１４が所定の間隔で複数埋め込まれており、ボール受け部１１５には、ホール素子１１２が埋め込まれている。ホール素子１１２は、磁力を検知してオン・オフするスイッチである。ここで、監視カメラ１の向きが変えられると、ボールジョイントのボール受け部１１５内でボール部１１３が回転することになり、ホール素子１１２に対向する永久磁石１１４が動き、感知する磁力の極性が変わることによりホール素子１１２がオンまたはオフする。このホール素子１１２のオン・オフを信号送出部１２に出力する。信号送出部１２は検知部１３の検知結果を所定の信号に変換し、画像信号と共に同軸ケーブル５Ａを介してコントローラ２に送信する。コントローラ２では、画像処理部２０にて同軸ケーブル５Ａ〜５Ｄを介して監視カメラ１Ａ〜１Ｄの画像信号やその他の信号を受信する。そして、検知信号を受信した場合には、Ｃ制御部２３はＣ警報出力部２８にて警報装置４に警報信号を出力する。警報装置４では、コントローラ２からの警報出力を受信すると、遠隔の図示しない警備センターに電話回線等を通じて警報を送信する。以上のように、本実施例の監視カメラシステムでは、監視カメラ１の方向が不正に変えられた場合には、警報を出力することができるので、このような妨害行為に迅速に対処することができる。
【００１８】
次に図６を参照して第２の発明である監視カメラシステムの実施例を説明する。本実施例においては、監視カメラ１の向きの変化を検知する手段は監視カメラ１を天井等に固定する為の固定手段であるカメラマウント１２１に設けている。図６は本実施例で監視カメラ１の取り付け状態および固定部の断面略図である。固定部であるカメラマウント１２１と監視カメラ１はボール部１２３およびボール受け部１２２からなるボールジョイントで接続され、監視カメラ１の撮像領域に向けて方向を調整した後、固定ネジ１２８で締め付けて固定される。カメラマウント１２１内には、赤外線投光部である赤外線ＬＥＤ１２６、赤外線受光部であるフォトダイオード１２７、ローラ部１２４と赤外線遮断部１２５が設けられている。赤外線遮断部１２５は円盤状で赤外線を透過させる穴が所定間隔で複数個設けられている。赤外線遮断部１２５はローラ１２４と接続され、ローラ１２４の回転に伴って回転するように構成されている。ローラ１２４はボールジョイントのボール部１２３に接触するように設置されている。
【００１９】
ここで、監視カメラ１の向きが変えられると、ボールジョイントのボール受け部１２２内でボール部１２３が回転することになりボール部１２３の回転によりローラ１２４が回転し、それに連動して赤外線遮断部１２５が回転する。赤外線ＬＥＤの発光した赤外線光はフォトダイオードで受光されているが、このボール部１２３の回転により赤外線遮断部も回転し、赤外線を断続的に遮断することになる。フォトダイオードによる赤外線受光の断続の検知出力は信号送出部１２に送出される。信号送出部１２は検知部１３の検知結果を所定の信号に変換し、画像信号と共に同軸ケーブル５Ａを介してコントローラ２に送信する。コントローラ２では、画像処理部２０にて同軸ケーブル５Ａ〜５Ｄを介して監視カメラ１Ａ〜１Ｄの画像信号やその他の信号を受信する。そして、検知信号を受信した場合には、Ｃ制御部２３はＣ警報出力部２８にて警報装置４に警報信号を出力する。警報装置４では、コントローラ２からの警報出力を受信すると、遠隔の図示しない警備センターに電話回線等を通じて警報を送信する。以上のように、本実施例の監視カメラシステムでは、監視カメラ１の方向が不正に変えられた場合には、警報を出力することができるので、このような妨害行為に迅速に対処することができる。
【００２０】
次に図７を参照して第３の発明である監視カメラシステムの実施例を説明する。本実施例においては、監視カメラ１の向きの変化を検知する手段は監視カメラ１を天井等に固定する為の固定手段であるカメラマウント１３１に設けている。図７は本実施例で監視カメラ１の取り付け状態および固定部の断面略図である。固定部であるカメラマウント１３１と監視カメラ１はボール部１３３およびボール受け部１３２からなるボールジョイントで接続され、監視カメラ１の撮像領域に向けて方向を調整した後、固定ネジ１３５で締め付けて固定される。固定ネジ１３５の反対側のボール受け部１３２とボール部１３３の間には、シート状の圧電センサ１３４が設けられており、固定ネジ１３５で締め付けたときに所定の圧力が加わる。侵入者が監視カメラ１の方向を変えようとして固定ネジ１３５の締め付けを緩めると、ボール部１３３とボール受け部１３２の間の圧力が減少し、これを感圧センサ１３４が感知し感圧センサ１３４の検知出力は信号送出部１２に送出される。信号送出部１２は検知部１３の検知結果を所定の信号に変換し、画像信号と共に同軸ケーブル５Ａを介してコントローラ２に送信する。コントローラ２では、画像処理部２０にて同軸ケーブル５Ａ〜５Ｄを介して監視カメラ１Ａ〜１Ｄの画像信号やその他の信号を受信する。そして、検知信号を受信した場合には、Ｃ制御部２３はＣ警報出力部２８にて警報装置４に警報信号を出力する。警報装置４では、コントローラ２からの警報出力を受信すると、遠隔の図示しない警備センターに電話回線等を通じて警報を送信する。以上のように、本実施例の監視カメラシステムでは、監視カメラ１の方向が不正に変えられた場合には、警報を出力することができるので、このような妨害行為に迅速に対処することができる。
【００２１】
【図面の簡単な説明】
【図１】監視カメラシステムの構成図
【図２】監視カメラの機能ブロック図
【図３】コントローラの機能ブロック図
【図４】タイムラプスビデオの機能ブロック図
【図５】第１の発明による監視カメラの取り付け状態および固定部の断面略図
【図６】第２の発明による監視カメラの取り付け状態および固定部の断面略図
【図７】第３の発明による監視カメラの取り付け状態および固定部の断面略図
【符号の説明】
１…監視カメラ
１１１、１２１、１３１…カメラマウント
１１４…永久磁石
１１２…ホール素子
１１３、１２３、１３３…ボール部
１１５、１２２、１３２…ボール受け部
１１６、１２８、１３５…固定ネジ
１２４…ローラ
１２５…赤外線遮断部
１２６…赤外線ＬＥＤ
１２７…フォトダイオード
１３…検知部
１３４…圧電センサ、感圧センサ
２…コントローラ
３…タイムラプスビデオ
４…警報装置
５、６…同軸ケーブル
【図１】
0003954237.tif 000002
【図２】
0003954237.tif 000003
【図３】
0003954237.tif 000004
【図４】
0003954237.tif 000005
【図５】
0003954237.tif 000006
【図６】
0003954237.tif 000007
【図７】
0003954237.tif 000008